(57)【要約】      （修正有）【課題】就寝者の枕元等に置いた場合に身体が当たっても機器が転倒しないようにし、液状組成物が漏出しないようにした空気調整機器を提供する。【解決手段】空気調整機器１は、液状組成物３１を蒸発させてその有効成分を室内空気中に浮遊させるものであり、プレート状の基台６と、外装ケース２を基台６上に傾動自在に支持するコイルばね７と、を備え、外装ケース２内に、液状組成物３１が充填された薬用容器３と、液状組成物３１を加熱するヒータ４と、蒸発した液状組成物３１の有効成分を室内空気中に送出するファン５と、を内装し、基台６内に、転倒防止用の重り８が設けられ、基台６からヒータ及びファン駆動用の電源を供給する電源コード１０が導出されている。これにより、機器使用時に、機器が転倒しないので、液状組成物３１が漏出することがなくなる。液状組成物３１は、食欲抑制剤を含有しているものが好ましい。【選択図】図２
0003131121.tif 000002
【実用新案登録請求の範囲】
【請求項１】
液状組成物を蒸発させてその有効成分を室内空気中に浮遊させる空気調整機器において、
プレート状の基台と、
玉子又は球形状の外装ケースと、
前記外装ケース下部と基台とを連結し、該外装ケースを該基台上に傾動自在に支持するコイルばねと、を備え、
前記外装ケース内に、
液状組成物が充填された薬用容器と、
液状組成物を加熱するヒータと、
蒸発した液状組成物の有効成分を室内空気中に送出するファンと、を内装し、
前記基台内に、転倒防止用の重りが設けられ、
前記基台側面から、前記ヒータ及びファン駆動用の電源を供給する電源コードが導出されていることを特徴とする空気調整機器。
【請求項２】
前記液状組成物は、有効成分として食欲抑制剤を含有していることを特徴とする請求項１に記載の空気調整機器。
【考案の詳細な説明】
【技術分野】
【０００１】
本発明は、液状組成物を蒸発させてその有効成分を室内空気中に浮遊させる空気調整機
器に関する。
【背景技術】
【０００２】
従来から、液状組成物を蒸発させてその有効成分を室内空気中に浮遊させる空気調整機器として芳香器が知られている。この種の機器において、機器が転倒したときに液状組成物が外部に漏出しないようにしたものが知られている（例えば、特許文献１参照）。
【特許文献１】特開２００１−１４９４５８号公報
【考案の開示】
【考案が解決しようとする課題】
【０００３】
ところが、このような転倒対策を施した機器にあっても、徐々に液状組成物が漏出することがある。特に、ユーザが就寝時に使用するに適した機器、例えば、有効成分として食欲抑制剤を含有した液状組成物を蒸発させる空気調整機器にあっては、可能な限り就寝者の枕元等に機器を置くことが効果的であるが、その場合、就寝者は睡眠中に身体を動かして、無意識に機器を引っ繰り返し易く、問題があった。
【０００４】
本考案は、このような問題を解消するものであり、就寝者の枕元等に機器を置いた場合に身体が当たっても機器が転倒しないようにし、液状組成物が漏出しないようにした空気調整機器を提供することを目的とする。
【課題を解決するための手段】
【０００５】
本考案は、上記目的を達成するために成されたものであり、液状組成物を蒸発させてその有効成分を室内空気中に浮遊させる空気調整機器において、プレート状の基台と、玉子又は球形状の外装ケースと、前記外装ケース下部と基台とを連結し、該外装ケースを該基台上に傾動自在に支持するコイルばねと、を備え、前記外装ケース内に、液状組成物が充填された薬用容器と、液状組成物を加熱するヒータと、蒸発した液状組成物の有効成分を室内空気中に送出するファンと、を内装し、前記基台内に、転倒防止用の重りが設けられ、前記基台側面から、前記ヒータ及びファン駆動用の電源を供給する電源コードが導出されているものである。
また、前記液状組成物は、有効成分として食欲抑制剤を含有しているものが好ましい。
【考案の効果】
【０００６】
本考案によれば、機器使用時に、機器に身体が当たっても、機器が転倒しないので、液
状組成物が漏出することがなくなる。
特に、有効成分として食欲抑制剤を含有している液状組成物を蒸発させる機器の場合、
機器が就寝者の枕元等に置かれて使用されても問題がなく、有効成分をユーザに効率的に
与えることができ、食欲抑制効果を高めることができる。
【考案を実施するための最良の形態】
【０００７】
以下、本考案の一実施形態に係る空気調整機器について、図１乃至図３を参照して説明する。空気調整機器１は、液状組成物を蒸発させてその有効成分を室内空気中に浮遊させるものであり、玉子形状（又は球形状でもよい）とされた外装ケース２と、円板状の基台６と、外装ケース２の下部と基台６を連結し、外装ケース２を基台６上に傾動自在に支持するコイルばね７と、を備える。基台６は樹脂成形品でよく、その内部空間には、転倒防止用の重り８と、制御回路としてのＩＣコントローラ９とが設けられている。基台６の側面からは、ヒータ４及びファン５を駆動するための電源をＡＣ電源から供給する電源コード１０が導出されている。基台６の外形は、外装ケース２の外形と同等又はそれよりも大きくしている。
【０００８】
外装ケース２は、互いに嵌合係止される、樹脂成形品の下部体２１と上蓋体２２とから成る。外装ケース２の下部体２１の内面は凹形状とされ、その凹形状内に、薬用容器３が交換自在に装填されている。薬用容器３は、透明又は半透明材質から成り、内部に液状組成物が充填されている。外装ケース２の下部体２１には、薬用容器３の残量を外部から視認するための長孔状の窓２１ａが形成されている。
【０００９】
外装ケース２の上蓋体２２の内部には、液状組成物を加熱するヒータ４と、蒸発した液状組成物の有効成分を室内空気中に送出するファン５と、ファン５の重量バランス用の重り１１が内装固定されている。また、上蓋体２２の頂部には機器オン／オフ用のスイッチ２３と、ＬＥＤによるオン表示構造が設けられている。
【００１０】
薬用容器３は、下部体２１の凹形状に対応した形状とされ、下部体２１にビルトインされている。この薬用容器３は、上面に開口を持ち、この開口には、液状組成物３１を毛細管現象により蒸発させるための芯３２が設けられている。ヒータ４は、芯３２が導出される薬用容器３の開口付近に臨むように配置され、薬用容器３を５０〜６０℃程度に加熱できるものでよい。ファン５は、モータ駆動式であり、適宜の固定部材１２で下部体２１に固定される。ファン５と重り１１とは、芯３２を挟んで両側に配置される。
【００１１】
外装ケース２の上蓋体２２には、空気吸入口２２ａと、空気吐出口２２ｂとが設けられている。上蓋体２２は下部体２１に回り止め固定されるようにしておけばよい。
【００１２】
コイルばね７は、ステンレス製であり、その直径は、外装ケース２の最大外形寸法の略１／５程度でよく、長さは、外装ケース２の高さ寸法の略１／８乃至１／４程度、例えば、外装ケース２の高さ寸法が８０ｍｍのときに、１０ｍｍ乃至２０ｍｍ程度とする。このコイルばね７の長さが長過ぎると、外装ケース２の重量により異なるが、外装ケース２に外力が加えられて傾動したときに、傾いたままで復帰しなくなるので、適当な長さ寸法範囲にすることが必要である。コイルばね７の内部には、電線が通される。なお、コイルばね７の上下端部は、それぞれ、外装ケース２の下部と基台６の上面の円周上に３箇所分散して設けられた引っ掛け用突部に係合させることで、結合されればよい。
【００１３】
また、液状組成物３１には、例えば、有効成分として食欲抑制剤を含有しているものを用いる。この場合、空気調整機器１は、ダイエット用の機器として使用される。このような液状組成物３１は、例えば、特許第３８３９８３２号に示されるようなものを用いればよい。
【００１４】
上記のように構成された空気調整機器１は、使用時に基台６を床面上に設置し、ヒータ４に通電させると共に、ファン５をモータ駆動する。これにより、薬用容器３が加熱され、薬用容器３内の液状組成物３１が蒸発し、蒸発した液状組成物３１の有効成分がファン５により上蓋体２２の空気吐出口２２ｂを通して機器外部に吐出される。そして、いま、外装ケース２にユーザの身体等が当たって外力が加えられて、外装ケース２が、図３に示すように傾いたとしても、基台６に転倒防止用の重り８が設けられ機器全体としての重心が低くなっていることと、外装ケース２が基台６に対してコイルばね７により支持されていることから、外装ケース２は元の状態に復帰し、機器が転倒することは防止される。このため、液状組成物３１が漏出することがない。
【００１５】
特に、蒸発させる液状組成物３１の有効成分として食欲抑制剤を含有しているものである場合、機器１が就寝者の枕元等に置かれて使用されても問題がなくなるので、ユーザの睡眠中に、蒸発した液状組成物３１の有効成分を効率的に吸気させることができ、もって、食欲抑制効果を高めることができる。
【００１６】
なお、本考案は、上記実施形態の構成に限られることなく、考案の趣旨を変更しない範囲で種々の変形が可能である。例えば、液状組成物３１の有効成分として、芳香剤を用いてもよい。また、コイルばね７の外装ケース２と基台６との結合は任意の構造を採用することができる。また、基台６に転倒防止用の重り８を設ける替りに、基台６自体を金属材質として重量を大きくしてもよく、そのような物をも含む。さらには、ランプ付きや目覚し機能付きの機器としてもよい。
【図面の簡単な説明】
【００１７】
【図１】本考案の一実施形態に係る空気調整機器の斜視図。
【図２】同空気調整機器の断面図。
【図３】同空気調整機器の外装ケースが傾動する様子を示す概略正面図。
【符号の説明】
【００１８】
１  空気調整機器
２  外装ケース
２１  下部体
２２  上蓋体
３  薬用容器
３１  液状組成物
４  ヒータ
５  ファン
６  基台
７  コイルばね
８  重り
１０  電源コード
【図１】
0003131121.tif 000003
【図２】
0003131121.tif 000004
【図３】
0003131121.tif 000005